(57)【要約】【課題】  専用工具を用いることなくバンドを胴に容易に着脱できるとともに、胴に対するバンドの十分な取付け強度を確保でき、しかも、バンドの着脱操作に伴う傷付きを抑制できるとともに、使用感が良い腕時計を提供する。【解決手段】  取付け穴７を有したかん足６を胴５に突設し、胴５に着脱可能なバンド３のエンドピース１１を出し入れ可能に受け入れるかん股５ａをかん足６間に形成する。楕円形状のカム面２２ａが形成されたカム部２２を有したカム体２１をエンドピース１１に回転可能に収容し、カム体２１の操作溝２５を露出させる。一対の取付け軸３１を、カム部２２を挟んでエンドピース１１にこのピースの幅方向に移動可能に収容する。両取付け軸３１は、カム面２２ａに接するカム従動面３１ａを有し、カム体２１の回転によりカム部２２の長軸と短軸との寸法差で取付け穴７に挿脱される。付勢体３５をエンドピース１１に収容し、この付勢体３５で一対の取付け軸３１を夫々カム面２２ａに押付けている。【選択図】      図３
2006314347.tif 000002
【特許請求の範囲】
【請求項１】
胴にバンドが着脱可能に連結された腕時計において、
前記バンドのエンドピースを出し入れ可能に受け入れるかん股を形成して前記胴から突出され、かつ、取付け穴を有したかん足と、
楕円形状のカム面が形成されたカム部及び操作溝を有し、前記操作溝を露出させて前記エンドピースに回転可能に収容されたカム体と、
前記カム面に接するカム従動面を有して、前記カム部を挟んで前記エンドピースにこのピースの幅方向に移動可能に収容され、前記カム部の長軸と短軸との寸法差で前記取付け穴に挿脱される一対の取付け軸と、
前記エンドピースに収容され前記一対の取付け軸を夫々前記カム面に押付ける付勢体と、
を具備した腕時計。
【請求項２】
前記カム部の長軸が前記一対の取付け軸で挟まれた状態を保持する係止機構を備えた請求項１に記載の腕時計。
【請求項３】
前記係止機構を、クリック凸部を有して前記カム体に設けられた弾性変形部と、前記エンドピースのカム体収容部の内面に設けられて前記カム体の回転に伴い前記クリック凸部が係脱される凹状のクリック受け部とで形成した請求項２に記載の腕時計。
【請求項４】
前記操作溝を前記エンドピースの裏面に露出させた請求項１から３の内のいずれか一項に記載の腕時計。
【請求項５】
かん股を形成するとともに取付け穴を有したかん足が胴に設けられた腕時計に備えられ、前記胴部に着脱可能に連結される時計用バンドであって、
前記かん股に出し入れ可能に受入れられるエンドピースと、
楕円形状のカム面が形成されたカム部を有し、このカム部の一面に形成された操作溝を前記エンドピースの表面又は裏面に露出させて前記エンドピースに回転可能に収容されたカム体と、
前記カム面に接するカム従動面を有して、前記カム部を挟んで前記エンドピースにこのピースの幅方向に移動可能に収容され、前記カム部の長軸と短軸との寸法差で前記取付け穴に挿脱される一対の取付け軸と、
前記エンドピースに収容され前記一対の取付け軸を夫々前記カム面に押付ける付勢体と、
を具備した時計用バンド。
【発明の詳細な説明】
【技術分野】
【０００１】
本発明は、時計用バンド及びこのバンドが胴に着脱可能に取付けられた腕時計に関する。
【背景技術】
【０００２】
従来、専用の工具を用いることなく、腕時計の胴にバンドを着脱可能に取付けるようにした技術が知られている（例えば、特許文献１参照。）。
【０００３】
この特許文献１の技術では、２つのカール部を有した金属板を皮革ハンドの端部に取付け、ばね棒を２つのカール部に渡って設けている。ばね棒は、ばね線材の中間部に略Ｖ字状に折り曲げられたハンドルと、このハンドルから互いに遠ざかるように折り曲げられた一端と他端とを有している。このばね棒の両端は２つのカール部に個別に挿入して回転可能に保持され、ハンドルは２つのカール部間に配置されている。そして、２つのカール部のうちの一方に、ハンドルを広狭スライドさせる傾斜面と、この傾斜面の狭幅端にハンドルを収縮状態に保持するテーパ面とを設けている。
【０００４】
ばね線材からなるばね棒の一端はこれを保持した方のカール部から常に突出されている。これに対して、ばね棒の他端は、ハンドルを回転させてバンドの裏面に倒すことに伴いハンドルが広がることによって、他方のカール部から突出され、この逆にハンドルを回転させてバンドの裏面に対して起すことに伴い、ハンドルが収縮状態となることによって他方のカール部内に没入される。
【０００５】
したがって、ばね棒のハンドルを回転させることによって、このばね棒の端を、胴のかん足に設けた孔に出し入れできる。このため、専用の工具を用いることなく、バンドを胴に着脱することができる。
【特許文献１】登録実用新案第3042321号公報（段落0008−0010、図１−図２）
【発明の開示】
【発明が解決しようとする課題】
【０００６】
弾性変形が可能なばね線材を折り曲げ加工して形成されたばね棒のばね性が強い場合には、そのハンドルを起す際の操作性が低下する。この逆に、ばね棒のばね性が弱い場合には、所定の強度で胴にバンドを取付け保持する信頼性が低下する。ばね棒のばね性はそのハンドルの曲げ加工も影響して一般的にばらつきが大きい。このため、特許文献１の技術は、胴に対するバンドの容易な着脱操作性と十分な取付け強度を共に確保する上では好ましくない。
【０００７】
又、バンドの着脱の際にばね棒が回転されることに伴って、このばね棒のハンドルの根元が、２つのカール部のエッジとの接触で擦れて傷が付き易く、そこに腐食が発生する恐れがあると共に、その腐食は視認されるので好ましくない。更に、腕時計の使用時に、バンドの裏側に沿っているばね棒のハンドルが使用者の手首に接触することが考えられ、この場合には使用感を損なうことがある。
【０００８】
しかも、胴から外されたバンドが保管される状態では、ばね棒のハンドルは、バンドの裏面に沿った状態とすることが普通である。このため、バンドを腕時計の胴に取付ける際には、一旦、ハンドルを起してばね棒の可動する方の端を、この端を保持するカール部内に没入させる作業が必要となる。よって、胴にバンドを取付ける作業が比較的面倒でもある。
【０００９】
本発明の目的は、専用工具を用いることなく胴に容易に着脱できるとともに、胴に対する十分な取付け強度を確保でき、しかも、着脱操作に伴う傷付きを抑制できるとともに、使用感が良い時計用バンド及びこのバンドを備えた腕時計を提供することにある。
【課題を解決するための手段】
【００１０】
前記課題を解決するために、本発明の腕時計は、胴にバンドが着脱可能に連結された腕時計において、前記バンドのエンドピースを出し入れ可能に受け入れるかん股を形成して前記胴から突出され、かつ、取付け穴を有したかん足と、楕円形状のカム面が形成されたカム部及び操作溝を有し、前記操作溝を露出させて前記エンドピースに回転可能に収容されたカム体と、前記カム面に接するカム従動面を有して、前記カム部を挟んで前記エンドピースにこのピースの幅方向に移動可能に収容され、前記カム部の長軸と短軸との寸法差で前記取付け穴に挿脱される一対の取付け軸と、前記エンドピースに収容され前記一対の取付け軸を夫々前記カム面に押付ける付勢体と、を具備している。
【００１１】
この発明の腕時計で、胴にバンドを取付けるには、バンドのエンドピースを胴のかん股に配置してから、エンドピースの外部に露出している操作溝にコイン等を嵌めて、このコイン等を介してカム体を９０度回転させればよい。それにより、カム体の長軸が一対の取付け軸で挟まれるようにカム従動面に対するカム体のカム面の接触位置が変わる。これに伴い、一対の取付け軸が付勢体に抗して互いに離れる方向に移動されて、これら取付け軸のカム従動面と反対側の部位が、エンドピースの幅方向両端から夫々突出してかん足の取付け穴に夫々挿入される。
【００１２】
胴からバンドを外すには、取付けの場合と同様に専用の工具を用いることなく、エンドピースの外部に露出している操作溝にコイン等を嵌めて、このコイン等を介してカム体を９０度回転させてから、かん股から外せばよい。それにより、カム体の短軸が一対の取付け軸で挟まれるようにカム従動面に対するカム体のカム面の接触位置が変わる。これに伴い、一対の取付け軸が付勢体の付勢力によって互いに近づく方向に移動され、これら取付け軸のカム従動面と反対側の部位が、かん足の取付け穴から夫々抜き出されて、エンドピースの幅方向両端から内側に没するので、バンドをかん股から外すことができる。
【００１３】
外されたバンドは、一対の取付け軸全体がエンドピースの幅方向両端から内側に没した状態にあるので、既述のように胴にバンドを取付ける場合に、一対の取付け軸全体をエンドピースの幅方向両端から内側に没した状態とする手間を要することなく、エンドピースを胴のかん股に配置できる。
【００１４】
胴へのバンドの連結を担う取付け軸は、ばね線材で形成されていないので、胴との連結上必要な強度を有した金属等の材料や太さで形成できる。これにより、胴に対するバンドの十分な取付け強度を確保できる。そして、一対の取付け軸、カム体、及び付勢体は夫々エンドピースに収容されているので、使用者の手首に触れる恐れがなく、仮に手首に触れても軽微であって異物感を与えることはないので、使用感が良い。又、バンドの着脱操作に伴い取付け軸とカム体とは擦れ合うが、これらは面で接しているので傷が付きづらく、仮に傷付いても、取付け軸のカム従動面とカム体のカム面とは、エンドピース内に収まっていて視認されることがない。
【００１５】
本発明の腕時計の好ましい形態では、前記カム部の長軸が前記一対の取付け軸で挟まれた状態を保持する係止機構を備えている。
【００１６】
この発明の形態では、カム体の回転操作により、そのカム部の長軸が一対の取付け軸で挟まれると同時に、これら一対の取付け軸がかん足の取付け穴に挿入されてバンドが胴に取付けられたときに、係止機構が機能して、一対の取付け軸はカム体の長軸を挟んだ状態に保持される。このため、使用時に不用意にカム体が回転してバンドが外れることを防止できる。
【００１７】
又、本発明の腕時計の好ましい形態では、前記係止機構を、クリック凸部を有して前記カム体に設けられた弾性変形部と、前記エンドピースのカム体収容部の内面に設けられて前記カム体の回転に伴い前記クリック凸部が係脱される凹状のクリック受け部とで形成している。
【００１８】
この発明の形態では、カム体の回転操作に伴いカム体の長軸が一対の取付け軸で挟まれたときに、弾性変形部のクリック凸部が凹状のクリック受け部に係合して音を発生するので、使用者にバンドの取付け完了を知覚させることができる。
【００１９】
又、本発明の腕時計の好ましい形態では、前記操作溝を前記エンドピースの裏面に露出させている。
【００２０】
この発明の形態では、エンドピースの外部の露出したカム体の操作溝が、腕時計の使用時には隠されるので、使用時の体裁が良いとともに、使用時に他の物体が操作溝に接触してカム体が不用意に回される恐れがない。
【００２１】
又、前記課題を解決するために、本発明の時計用バンドは、かん股を形成するとともに取付け穴を有したかん足が胴に設けられた腕時計に備えられ、前記胴部に着脱可能に連結される時計用バンドであって、前記かん股に出し入れ可能に受入れられるエンドピースと、楕円形状のカム面が形成されたカム部を有し、このカム部の一面に形成された操作溝を前記エンドピースの表面又は裏面に露出させて前記エンドピースに回転可能に収容されたカム体と、前記カム面に接するカム従動面を有して、前記カム部を挟んで前記エンドピースにこのピースの幅方向に移動可能に収容され、前記カム部の長軸と短軸との寸法差で前記取付け穴に挿脱される一対の取付け軸と、前記エンドピースに収容され前記一対の取付け軸を夫々前記カム面に押付ける付勢体と、を具備している。
【００２２】
この発明の時計用バンドを胴に取付けるには、バンドのエンドピースを胴のかん股に配置してから、エンドピースの外部に露出している操作溝にコイン等を嵌めて、このコイン等を介してカム体を９０度回転させればよい。それにより、カム体の長軸が一対の取付け軸で挟まれるようにカム従動面に対するカム体のカム面の接触位置が変わる。これに伴い、一対の取付け軸が付勢体に抗して互いに離れる方向に移動され、これら取付け軸のカム従動面と反対側の部位が、エンドピースの幅方向両端から夫々突出してかん足の取付け穴に夫々挿入される。
【００２３】
こうして胴へのバンドの連結を担う取付け軸は、ばね線材で形成されていないので、胴との連結上必要な強度を有した金属等の材料や太さで形成できる。これにより、胴に対するバンドの十分な取付け強度を確保できる。そして、一対の取付け軸、カム体、及び付勢体は夫々エンドピースに収容されているので、使用者の手首に触れる恐れがなく、仮に手首に触れても軽微であって異物感を与えることはないので、使用感が良い。又、バンドの着脱操作に伴い取付け軸とカム体とは擦れ合うが、これらは面で接しているので傷が付きづらく、仮に傷付いても、取付け軸のカム従動面とカム体のカム面とは、エンドピース内に収まっていて視認されることがない。
【００２４】
バンドを胴から外すには、取付けの場合と同様に専用の工具を用いることなく、エンドピースの外部に露出している操作溝にコイン等を嵌めて、このコイン等を介してカム体を９０度回転させてから、かん股から外せばよい。それにより、カム体の短軸が一対の取付け軸で挟まれるようにカム従動面に対するカム体のカム面の接触位置が変わる。これに伴い、一対の取付け軸が付勢体の付勢力によって互いに近づく方向に移動され、これら取付け軸のカム従動面と反対側の部位が、かん足の取付け穴から夫々抜き出されて、エンドピースの幅方向両端から内側に没するので、バンドをかん股から外すことができる。
【００２５】
外されたバンドは、一対の取付け軸全体がエンドピースの幅方向両端から内側に没した状態にあるので、既述のように胴に取付ける場合に、一対の取付け軸全体をエンドピースの幅方向両端から内側に没した状態とする手間を要することなく、エンドピースを胴のかん股に配置できる。
【発明の効果】
【００２６】
本発明によれば、専用工具を用いることなくコイン等を用いてカム体を９０度回転させるという容易な作業で胴にバンド着脱できるとともに、カム体により移動される一対の取付け軸によって胴に対する十分な取付け強度を確保でき、しかも、着脱操作に伴う傷付きを抑制できるとともに、使用感も良い腕時計、及びこの時計に用いられる時計用バンドを提供できる。
【発明を実施するための最良の形態】
【００２７】
図１〜図７を参照して本発明の一実施形態を説明する。
【００２８】
図１に示す腕時計１は、時計外装組立２にバンド３を取付けている。時計外装組立２内には、文字板及び図示しない時計ムーブメント等が収容されている。なお、図１中符号４は竜頭を示している。
【００２９】
図１に示すようにバンド３は、文字板の６時及び１２時側に対応して時計外装組立２が備えた金属又は合成樹脂製の胴５に、着脱可能に取付けられている。バンド３は、図６（Ａ）２示すように合成樹脂又は皮革等を主体として形成されたものであるが、図６（Ｂ）に示すように金属製例えば複数のバンド駒を棒状の駒連結部品により、この駒連結部品を中心に回転可能に連結して形成されたものであってもよい。
【００３０】
次に、胴５にバンド３を着脱するための構成を説明する。
【００３１】
時計外装組立２の胴５の外周面には文字板の６時及び１２時側に対応して夫々一対のかん足（かん部とも称することもできる。）６が一体に突設されている。文字板の３時−９時方向に対応して対をなすかん足６間にはかん股５ａが形成されている。図１、図３、及び図５に示すようにかん足６の夫々には取付け穴７が設けられている。取付け穴７は夫々かん股５ａの開放されている。
【００３２】
バンド３は時計外装組立２側に位置する端部にエンドピース１１を備えている。このエンドピース１１は金属製であることが好ましいが、硬質合成樹脂製とすることも可能である。図２及び図４に示すようにエンドピース１１は、ピースボディ１１ａと、このピースボディ１１ａの表面または裏面、好ましくは裏面に装着されたカバー１１ｂとを備えている。
【００３３】
ピースボディ１１ａはカバー１１ｂで覆われるカム体収容部１２と、一対のガイド部１３とを有している。カム体収容部１２はピースボディ１１ａの幅方向に延びる長四角形状をなしている。ガイド部１３は、溝状であって、その両端をカム体収容部１２とピースボディ１１ａの幅方向の端面とに夫々開放して設けられている。図２、図４、及び図７に示すようにカバー１１ｂにはカム体収容部１２の中央部に連通する円形の孔１４が開けられている。
【００３４】
カム体収容部１２の奥に位置する内面の中央位置には、軸受凹部１５が設けられているとともに、この軸受凹部１５を間に置いて一対のクリック受け部１６（図２等参照）が設けられている。これら軸受凹部１５と一対のクリック受け部１６とは、ピースボディ１１ａの幅方向に並んでいる。クリック受け部１６は例えば半球状をなす凹みからなる。
【００３５】
エンドピース１１には、カム体２１と、一対の取付け軸３１と、一対の付勢体３５と、一対のばね受け３９とが組込まれている。
【００３６】
カム体２１は金属製であることが好ましいが、硬質合成樹脂製とすることも可能である。カム体２１は、カム部２２と、このカム部２２の厚み方向の一面に一体に突設された第１の軸部２３と、カム部２２の厚み方向の他面に一体に突設された第２の軸部２４とを有している。
【００３７】
図２及び図４に示すようにカム部２２の周面は楕円形状のカム面２２ａを形成している。なお、ここに楕円形状とは幾何学上で定義される楕円に限らず、小判形状例えば長軸が延びる方向の両端部が長軸上を中心とする所定の半径で描かれる半円であり、これらの間が長軸と平行な互いに直線で描かれる形状なども含んでいる。第１の軸部２３と第２の軸部２４をカム体２１の厚み方向から見た場合の形状は円形である。このカム体２１は、第１の軸部２３を軸受凹部１５内に嵌合させるとともに、第２の軸部２４を孔１４に嵌合させることによって、これら軸受凹部１５及び孔１４に両端支持された状態で、回転可能にエンドピース１１に収容されている。
【００３８】
図７に示すように第２の軸部２４の端面はエンドピース１１の裏面に露出されており、この露出された面には操作溝２５が形成されている。この操作溝２５は身近にある品物、例えばコインの縁部をエンドピース１１の外部から受け入れることができるように形成されている。なお、図７中符号Ｏ、Ｃはカム体２１を９０度回転させるためにカバー１１ｂに設けた指標を示しており、指標Ｏは胴５からバンド３を外す場合の回転方向を示し、指標Ｃは胴５にバンド３を取付ける場合の回転方向を示している。
【００３９】
図２に示すように第１の軸部２３には、この第１の軸部２３を支点として可撓変形ができる一対の弾性変形部２６が一体に形成され、これら弾性変形部２６のカム体収容部１２の奥面と対向する面にはクリック凸部２６ａが設けられている。クリック凸部２６ａはカム体２１を９０度回転させる毎に、弾性変形部２６の可撓変形を伴ってクリック受け部１６に係脱される。これらクリック受け部１６と弾性変形部２６とは、図３に示すようにカム体２１の長軸が文字板の３時−９時方向に延びる方向に沿った場合に、この長軸を一対の取付け軸３１で挟んで状態に保持する係止機構をなしている。
【００４０】
一対の取付け軸３１は、金属製又は硬質合成樹脂製であって、図３及び図５に示すように大径部と、この大径部の一端中央部から一体に突設された小径部とからなる。小径部はかん足６の取付け穴７に挿脱される部分であり、バンド３の胴５への所定の取付け強度を得るために必要な太さ及び剛性を有している。小径部と反対側に位置した大径部の他端面はカム従動面３１ａとして用いられている。これらの取付け軸３１は、そのカム従動面３１ａをカム体２１のカム面２２ａに接触させた姿勢でガイド部１３に移動可能に設けられている。したがって、一対の取付け軸３１はカム体２１を挟んでエンドピース１１にその幅方向に移動可能に収容されている。
【００４１】
一対のばね受け３９は、エンドピース１１の幅方向の端面に開口するガイド部１３の開口端を覆ってエンドピース１１に固定されていて、その中央部に孔を有している。この孔には取付け軸３１の小径部が挿脱可能である。付勢体３５としてばね例えばコイルばねが用いられており、このコイルばねからなる付勢体３５は、ばね受け３９と取付け軸３１の大径部との間に圧縮状態で挟まれている。これらの付勢体３５によって一対の取付け軸３１は、互いに接近する方向に常に付勢されていて、それによって取付け軸３１のカム従動面３１ａがカム体２１のカム面２１ａに押付け保持されている。付勢体３５にはコイルばねに代えて板ばねを用いることもできる。
【００４２】
又、前記構成で、楕円形状のカム体２１の長軸の寸法Ｄ（図３参照）と短軸の寸法Ｄ１（図５参照）との寸法さＬ１（図示しない）と、図３に示すようにバンド３が胴５に取付け保持された状態で取付け穴７に対する取付け軸３１の小径部の挿入深さ（引っ掛かり寸法）Ｌとの関係は、Ｌ＜Ｌ１／２に設定されている。更に、カム体２１の長軸の寸法Ｄと、カム体２１の短軸の寸法Ｄ１と、前記寸法Ｌとの関係は、Ｌ≦（Ｄ１−Ｄ）／２に設定されている。
【００４３】
後述の手順で胴５から外されたバンド３のカム体２１は、エンドピース１１の長手方向(幅方向)と直交する方向、つまり、バンド３の長手方向に操作溝２５が延びる姿勢に保持されている。この状態では、一対の取付け軸３１がカム体２１その短軸をエンドピース１１の幅方向に挟んでいるので、取付け軸３１の小径な先端部はエンドピース１１内に没入しているとともに、弾性変形部２６はクリック受け部１６から外れて撓んだ状態に保持されている。
【００４４】
このバンド３を時計外装組立２の胴５に連結するには、まず、図５に示すようにバンド３のエンドピース１１を時計外装組立２のかん股５ａに配置する。この場合、エンドピース１１の先端面がかん股５ａの奥面に当たることにより、かん股５ａへのエンドピース１１の挿入に関して、ばね受け３９の孔及び取付け軸３１の小径な先端部を取付け穴７に位置決めできる。次に、露出している操作溝２５に例えばコインの縁部を入れてから、このコインとともにカム体２１を指標Ｃ方向に９０度回転させればよい。
【００４５】
その時のカム体２１の回転により、取付け軸３１のカム従動面３１ａに対するカム体２１のカム面２１ａの接触部位が変わるに従い、一対の取付け軸３１は夫々付勢体３５に抗して互いに離れる方向に押されガイド部１３を案内として移動するので、これら取付け軸３１の小径部がばね受け３９の孔を通ってかん足６の取付け穴７に挿入される。この挿入は、図３に示すように一対の取付け軸３１がカム部２２の長軸を挟むようになった時点で最大となり、これにより胴５にバンド３が取付けられる。
【００４６】
以上の操作と同時に弾性変形部２６も９０度移動されるので、図３に示すように一対の取付け軸３１の小径部が取付け穴７に最大に挿入されて引っ掛かる状態になった時点で、弾性変形部２６のクリック凸部２６ａがクリック受け部１６に弾性的に係合される。これとともに、この時の感触若しくはエンドピース１１及びカム体２１が金属である場合には金属体金属による当接音が発生する。このため、使用者にバンド３の取付け完了を知覚させることができる。しかも、クリック受け部１６とクリック凸部２６ａとの係合によって、カム体２１の不用意な回転を妨げて、図３に示すバンド３の取付け状態を保持できる。
【００４７】
以上のバンド３の取付け作業によれば、バンド３のエンドピース１１をかん股５ａに挿入してカム体２１をコイン等で９０度回転させるという簡単な作業で、格別に専用工具を要することなく、バンド３を胴５に連結できる。
【００４８】
カム体２１の操作溝２５は、腕時計１の使用時に、使用者の腕によって覆われるので、操作溝２５が視認されることがなく外観上好ましいとともに、腕時計１の表側から不用意に操作溝２５に物品が当たって、カム体２１が回転される恐れがない。
【００４９】
バンド３の交換などにおいて、胴５からバンド３を外すには、まず、カム体２１の操作溝２５にコイン等の縁部を入れて、カム体２１を指標Ｏ方向に９０度回転させればよい。
【００５０】
その時のカム体２１の回転により、取付け軸３１のカム従動面３１ａに対するカム体２１のカム面２１ａの接触部位が変わるに従い、一対の取付け軸３１は夫々付勢体３５の付勢力で互いに近づく方向に押されてカム体２１側に移動する、この場合の移動は、図５に示すように一対の取付け軸３１がカム部２２の短軸を挟むようになった時点で最大となる。それに伴い取付け穴７に挿入されていた取付け軸３１の小径部がばね受け３９の孔を通ってエンドピース１１に没入されるので、この状態（図５参照）でエンドピース１１をかん股５ａから引き出すことによって、胴５からバンド３を外すことができる。
【００５１】
なお、以上の取外し操作に伴い、クリック凸部２６ａはクリック受け部１６から離脱して、弾性変形部２６は更に可撓変形をした状態となる。
【００５２】
以上のバンド３の外し作業によれば、バンド３のエンドピース１１に収容されたカム体２１をコイン等で９０度回転させてから、エンドピース１１をかん股５ａから引き出すという簡単な作業で、格別に専用工具を要することなく、バンド３を胴５から外すことができる。
【００５３】
従って、前記構成の腕時計１は、その組み立て作業性が良いとともに、使用者においても容易にバンド３を胴５に着脱できる。これにより、前記カム体２１を収容したエンドピース１１を備えた意匠が異なる複数のバンド３を使用者が用意して置く場合には、既述の手順により容易に所望のバンド３に適宜交換して、腕時計１に意匠の変化を与えて使用することが可能となる。
【図面の簡単な説明】
【００５４】
【図１】本発明の一実施形態に係る腕時計を示す平面図。
【図２】図１中Ｆ２−Ｆ２線に沿って胴とバンドとの連結部を示す断面図。
【図３】図２の連結部を一部断面した状態で示す裏面図。
【図４】図２の連結部をバンドが取外し可能となった状態で示す断面図。
【図５】図２の連結部をバンドが取外し可能となった状態で一部断面して示す裏面図。
【図６】（Ａ）は本発明の一実施形態で使用可能な皮革製バンドを示す裏面図。（Ｂ）本発明の一実施形態で使用可能な金属製バンドを示す裏面図。
【図７】図６（Ａ）のバンドのエンドピース周りを拡大して示す裏面図。
【符号の説明】
【００５５】
１…腕時計
２…時計外装組立
３…バンド
５…胴
５ａ…かん股
６…かん足
１１…バンドのエンドピース
１２…カム体収容部
１５…クリック受け部（係止機構の一部）
２１…カム体
２２…カム部
２２ａ…カム部のカム面
２３…カム体の第１の軸部
２４…カム体の第２の軸部
２５…カム体の操作溝
２６…弾性変形部（係止機構の一部）
２６ａ…弾性変形部のクリック凸部
３１…取付け軸
３１ａ…カム従動面
３５…付勢体
３９…ばね受け
【図１】
2006314347.tif 000003
【図２】
2006314347.tif 000004
【図３】
2006314347.tif 000005
【図４】
2006314347.tif 000006
【図５】
2006314347.tif 000007
【図６】
2006314347.tif 000008
【図７】
2006314347.tif 000009